(57)【特許請求の範囲】
【請求項１】
薄膜分離体を用いて限界濾過の原理により異物に富む液状の流動媒体を薄膜分離体へ供給して異物に富む残留物と異物が減少した透過物とに分離し、透過物を少くとも１つの排出口から外部へ排出する濾過分離装置において、薄膜分離体（１２）が流動媒体（１１）の流動方向（１６）に相互の間隔を存して配置した２つの保持要素（１７，１８）の間に張架された多数の薄膜要素（２０）からなる少くとも１つの薄膜モジユール（１９）から形成され、中空糸薄膜（２０１）からなる前記薄膜要素（２０）は流動媒体（１１）の流動管路（２１）を形成し、前記薄膜要素（２０）は保持要素（１７）の方へ突出する端部（２０２）を閉鎖され、第１の収納要素（２２）に流動媒体（１１）に対し密封状態に固定され、かつ第２の収納要素（２３）に流動媒体（１１）に対し密封状態に固定され、第１，第２の収納要素（２２，２３）は中心に流動媒体（１１）が貫流する通孔（２４，２４ａ）を有し、第２の収納要素（２３）は透過物の収集管路（２５）を有し、薄膜要素（２０）の全ての開放端部（２０３）が透過物の収集管路へ通じており、第１，第２の収納要素（２２，２３）は取外し可能な安全リング（２７）により保持要素（１７，１８）に固定され、保持要素（１７，１８）と薄膜モジユール（１９）は、これらを包囲する管状のハウジング（２８）に収容されていることを特徴とする流動媒体の濾過分離装置。
【発明の詳細な説明】
【０００１】
【発明の属する技術分野】
本発明は薄膜分離体を利用して限界濾過の原理により、異物を多く含む液状の流動媒体を濾過し分離するようにした濾過分離装置、特に流動媒体が薄膜分離体へ供給され、異物に富む残留物（Retentat) と異物が減少した透過物とに分離され、透過物が少くとも１つの排出口から装置の外部へ排出されるようにした、流動媒体の濾過分離装置に関するものである。
【０００２】
【従来の技術】
この種の濾過分離装置はかなり以前から種々の構成のものが知られており、種々の分離目的に使用され、種々の被分離媒体、特にガス状の流動媒体、蒸気状の流動媒体、液状の流動媒体などに使用されている。
【０００３】
この種の濾過分離装置は経済的な意味や環境保護的な意味から、生物学的異物が多量に混入している市町村排水（公共下水）や工業排水の分離ないし浄化に利用されるようになつた。市町村排水や工業排水（以下、これらを単に排水という）としての流動媒体を、透過物である純水と凝縮物である残留物とに分けるために、この種の濾過分離装置を導入するには、濾過分離装置として、手入れを要せず長期間使用できること、維持管理が容易であること、薄膜分離体が機能しなくなつた時や薄膜分離体が破損した時に薄膜分離体を迅速かつ容易に交換できることなどが要請される。
【０００４】
ここで取り扱う排水には各種の異物が多量に含まれている。流動媒体の内で異物の占める分量ないし容積が多いほど、異物が薄膜分離体の薄膜要素の表面に付着し、薄膜要素はまず付着性の異物領域（Cluster)を形成した後、薄膜要素の表面の異物領域は次第に広がり、遂には薄膜要素の全表面（活性面）が覆われ、薄膜要素としての機能を失う。このような状態を薄膜要素の完全閉塞ということがある。
【０００５】
薄膜要素の閉塞は異物が多い流動媒体を濾過分離装置の内部へ通すことにより幾重にも起こる。すなわち、流動媒体の流動経路は極めて複雑であり、したがつて、流動媒体の流動速度を最低にするためには、構造上から濾過分離装置の内部の流体抵抗（液圧損失）を勘案して、流動媒体を比較的高い圧力で濾過分離装置の内部へ流入させなければならず、比較的大きなエネルギを消費する。
【０００６】
しかし、エネルギ消費の問題よりも重大なのは、使用される薄膜である。すなわち、従来の濾過分離装置では、上述の目的に適う構造に設計された各種の偏平薄膜を使用している。偏平薄膜は濾過分離装置の内部へ一定の間隔を存して上下交互に積層された１つのユニツトになつている。したがつて、分離されるべき流動媒体は濾過分離装置の内部を取入口から排出口まで、薄膜要素をジグザグに貫流する。濾過分離装置の内部の薄膜要素の１つでも閉塞を起すか損傷した場合には、濾過分離装置を完全に分解し、問題の薄膜要素を交換し、組み立てなければならず、多大の時間と費用を要する。したがつて、負荷の大なる排水の浄化に上述のような濾過分離装置を使用することは、薄膜要素の点から好適なものとは言えない。
【０００７】
薄膜要素が損傷した場合に濾過分離装置を分解・組立を行うのを避けるために、異物の分離に必要な化学的成分と置換される浄化剤を濾過分離装置の内部へ通すことにより、濾過分離装置を浄化する試みがなされてきた。しかし、化学的成分と置換された浄化剤をそのまま排水路へ送ることはできない。つまり、化学的成分と置換された浄化剤も、特別な処理のために収集すべき混合物になる。
【０００８】
【発明が解決しようとする課題】
したがつて、本発明の基本的課題は上述の問題に鑑み、長期間にわたり手入れなしに稼働し、流動媒体の流動に必要な圧力が比較的低く、薄膜要素の分離作用の阻害または閉塞が生じた場合にも排水を容易に浄化でき、エネルギ消費が僅かで、組立てが容易で、廉価な濾過分離装置を提供することにある。
【０００９】
すなわち、本発明の課題は濾過分離装置の流動媒体の分離効果が低下した場合、つまり個々の薄膜要素の閉塞が観察された場合に、薄膜分離体または特定の部品を迅速に交換できるようにすることである。また、本発明の課題は薄膜要素の分離作用の阻害または薄膜要素の閉塞がみられた場合にも、濾過分離装置が排水を容易に浄化し、長期間にわたり手入れなしに稼働できるようにすることである。さらに、本発明の課題は原理的には任意の場所で使用でき、エネルギ消費が僅かであり、組立てが容易であり、廉価な濾過分離装置を提供することである。
【００１０】
【課題を解決するための手段】
上記課題を解決するために、本発明の構成は薄膜分離体を用いて限界濾過の原理により異物に富む液状の流動媒体を薄膜分離体へ供給して異物に富む残留物と異物が減少した透過物とに分離し、透過物を少くとも１つの排出口から外部へ排出する濾過分離装置において、薄膜分離体（１２）が流動媒体（１１）の流動方向（１６）に相互の間隔を存して配置した２つの保持要素（１７，１８）の間に張架された多数の薄膜要素（２０）からなる少くとも１つの薄膜モジユール（１９）から形成され、中空糸薄膜（２０１）からなる前記薄膜要素（２０）は流動媒体（１１）の流動管路（２１）を形成し、前記薄膜要素（２０）は保持要素（１７）の方へ突出する端部（２０２）を閉鎖され、第１の収納要素（２２）に流動媒体（１１）に対し密封状態に固定され、かつ第２の収納要素（２３）に流動媒体（１１）に対し密封状態に固定され、第１，第２の収納要素（２２，２３）は中心に流動媒体（１１）が貫流する通孔（２４，２４ａ）を有し、第２の収納要素（２３）は透過物の収集管路（２５）を有し、薄膜要素（２０）の全ての開放端部（２０３）が透過物の収集管路へ通じており、第１，第２の収納要素（２２，２３）は取外し可能な安全リング（２７）により保持要素（１７，１８）に固定され、保持要素（１７，１８）と薄膜モジユール（１９）は、これらを包囲する管状のハウジング（２８）に収容されていることを特徴とする。
【００１１】
【発明の実施の形態】
本発明によれば上述の課題は次のように解決される。すなわち、薄膜分離体は流動媒体の流動方向に間隔を存して配置された２つの保持要素の間に張架された少くとも１つの薄膜モジユールから構成される。
【００１２】
本発明による濾過分離装置の主な特長は次のとおりである。すなわち、薄膜分離体が実質上少くとも１つの薄膜モジユールまたは相互に独立して働く複数の薄膜モジユールから構成されること、薄膜モジユールは濾過分離装置の内部へ簡単に挿入できること、薄膜モジユールが機能障害を起した時、薄膜モジユールを濾過分離装置から簡単に取り出せることである。
【００１３】
上述の構成は濾過分離装置の内部へ収容される、個々の薄膜モジユールの構造が同じであり、製造を容易にする。濾過分離装置の各薄膜モジユールは同一の構造であるから、交換用の薄膜モジユールを最低の費用で保管できる。薄膜モジユールの分解と組立ては非熟練者でも簡単かつ短時間に行える。さらに、薄膜モジユールは濾過分離装置の内部に相互の間隔を存して配置した保持要素の間に張架されるので、薄膜モジユールの内部に張架された薄膜要素に沿う流動経路で流動媒体が受ける流体抵抗（圧力損失）は極く僅かである。従来の濾過分離装置のように、流動媒体は複雑なジグザグの流動経路を貫流する必要はない。すなわち、本発明の濾過分離装置が稼働するためには、流動媒体は薄膜要素に沿つて流れ、流動媒体の分離効果を高めるのに非常に重要な、流動媒体の入口側の圧力と透過物の出口側の圧力（場合によつては負圧になる）との間の圧力差を大きく保ちつつ、流動媒体の入口側の圧力を低く抑えることができる。本発明の濾過分離装置は上述の理由から簡単かつ廉価に製造でき、かつ基本的にはハウジングを用いないでも、例えば装置を排水容器または排水管の内部へ収容して、所定の機能を発揮する。
【００１４】
本発明の濾過分離装置の有利な構成では、薄膜モジユールは濾過分離装置の内部に流動媒体の流動方向に沿つて組み付けることができる。この構成により、流動媒体が濾過分離装置を貫流する時に受ける流体抵抗が最小限に抑えられる。原理的には、薄膜モジユールは例えば濾過分離装置の内部に、流動媒体の流動方向と交差するように、所定の迎え角に張架することもできる。もちろん、これは構造上の避けられない事情がある場合に限られる。
【００１５】
本発明の濾過分離装置の他の有利な構成では、各薄膜モジユールがそれぞれ多数の薄膜要素を有し、薄膜要素の数は実質的に薄膜モジユールの内部の所望の活性面積をどれほどの広さにするかにより決まる。各薄膜モジユールの必要とする活性面積は薄膜モジユールの長さ、つまり薄膜モジユールが張架される２つの保持要素の相互間隔によつても異なる。
【００１６】
特に、薄膜要素が最善の状態で流動媒体を浄化するように、薄膜要素は実質的に流動媒体の流動径路ないし流動管路を形成するように、特に流動媒体のための管状の流動断面を形成するように配置される。
【００１７】
上述のような薄膜モジユールの構造規準のもとに、薄膜要素は任意の適当な構成に、例えば公知の薄膜（薄膜構成体、ポケツト薄膜、薄膜ポケツトなど）に構成することが考えられる。薄膜要素の材料は基本的には公知技術のものであるが、特に中空糸薄膜を用いることができる。本発明の濾過分離装置では、中空糸薄膜は他の薄膜と比較すると、長い糸状のものにして薄膜モジユールの内部へ組み込むのに適しており、特別な保持要素ないし支持要素を必要としないという利点がある。長片状ないし帯状の薄膜構成体も考えられるが、中空糸薄膜が構造上から、本発明による薄膜モジユールとして濾過分離装置へ組み付けるのに最適である。
【００１８】
薄膜要素は保持要素に連結する一方の端部が開放する構造に、すなわち薄膜要素の端部が透過物を排出する開口を形成し、他方の端部が閉鎖される構造にされる。この構造は中空糸薄膜にも薄膜クツシヨンにも可能である。
【００１９】
本発明の濾過分離装置の他の有利な構成では、薄膜要素の端部領域の閉鎖された端部が、第１の収納要素の内部で流動媒体に対し密封状態に固定されており、端部の密封は適切に選定された溶融プラスチツクの注入により達成される。薄膜モジユールを濾過分離装置の保持要素から迅速に取り外したり、保持要素に固定したりできるように、第１の収納要素を第１の保持要素の内部に、第２の収納要素を第２の保持要素の内部に・・・、順に取外し可能に固定される。すなわち、収納要素を保持要素の内部に差し込むか、逆に収納要素を保持要素から取り除くことができる。
【００２０】
本発明の濾過分離装置の他の有利な構成では、薄膜要素の端部領域で第２の保持要素の方へ突出する開口端部が、第２の収納要素の内部に流動媒体に対し密閉状態に固定される。すなわち、第１の収納要素の内部の薄膜要素の場合と殆ど同じ構造で固定される。この場合にも収納要素の内部の端部領域の本来的な固定は、適切な溶融した合成樹脂かプラスチツクの注入による。
【００２１】
流動媒体の薄膜要素に沿う最良の流動を得るために、つまり薄膜要素が最良の状態で流動媒体により洗われ、規定通りの分離機能を最大限に発揮するように、第１，第２の収納要素はほぼ中心部に、流動媒体が貫流するための通孔を有する。薄膜要素は選択可能な相互の間隔で、薄膜要素の内側の流動管路とは反対の外側での流動媒体の流動を可能にするので、流動管路とは反対側の薄膜要素の背面でも同様に流動媒体がよく流れる。
【００２２】
本発明の濾過分離装置の他の有利な構成では、全ての薄膜要素の開口端部が第２の収納要素に設けた透過物の収集管路へ通じ、透過物が簡単に収集されるので、濾過分離装置から透過物を収集するための構造に費用をかける必要はない。
【００２３】
１対の保持要素は少くとも１本の間隔保持ボルトを用いて相互に固定するのが好ましく、保持要素と間隔保持ボルトからなるユニツトは、薄膜モジユールの交換のために分解する必要はない。何故なら、薄膜モジユールには固有の弾性を有し、薄膜モジユールを保持要素の内部の対応する収納要素の開口部へ入れたり、収納要素から出したりできるからである。
【００２４】
こうして、第１，第２の収納要素は取外し可能な安全リングを用いて保持要素に固定することができる。安全リングはいわゆるゼーガーリング（Seeger circlip ring)と称するものに構成できる。
【００２５】
冒頭に説明したように、本発明の濾過分離装置は所定の機能を発揮するために、必ずしもハウジングを備える必要はない。しかし、特定の使用目的には、濾過分離装置は管状のハウジングの内部に少くとも保持要素と薄膜モジユールとを収容するのが好ましい。この場合、ハウジングの内部には全ての供給要素と排出要素と他の濾過分離装置の構成に必要な手段とが収納され、少くとも第２の収納要素は薄膜要素を透過した透過物がハウジングから流出するのを保障する。ハウジングには分離すべき流動媒体を内部へ供給し、かつ濃縮された残留物を外部へ排出するための別体の要素を設けることができ、これらの要素は透過物が異物を含む流動媒体や残留物（濃縮物）と混合しないように、ハウジングの内部空間に密封状態に固定される。
【００２６】
【実施例】
以下に本発明を図示の実施例に基づいて詳細に説明する。図１は本発明による濾過分離装置１０の概要を示す正面断面図である。濾過分離装置１０は中心部に、相互の上下間隔を存して配置された２枚の板状の保持要素１７，１８を有し、保持要素１７，１８は間隔保持ボルト２６により相互の間隔を保持される。間隔保持ボルト２６は各端部に細いねじ延長部を有し、間隔保持ボルト２６のねじ延長部が各保持要素１７，１８を貫通し、ねじ延長部に取外し可能のナツトが締結される。保持要素１７は図２に示す平面構造になつており、保持要素１８は図４に示す平面構造になつている。保持要素１７，１８は表面に分散して、第１，第２の収納要素２２，２３を収納するための多数の通孔を有する。
【００２７】
収納要素２２，２３については以下に薄膜モジユール１９の構造との関連で詳しく説明する。上述の通孔には第１，第２の収納要素２２，２３が貫通し、かつ安全リング２７（図１参照）により取外し可能に固定されている。各保持要素１７，１８の中心部には通孔が設けられており、該通孔に間隔保持ボルト２６のねじ延長部が挿通され、保持要素１７，１８がそれぞれ前述した態様で固定されている。
【００２８】
図１に示す濾過分離装置１０では、中心が同軸に並ぶ第１，第２の保持要素１７，１８の各通孔に、４つの薄膜モジユール１９が挿通支持されている。各薄膜モジユール１９は全て、以下に述べるように同じ構造のものであるので、１つの薄膜モジユール１９について説明する。
【００２９】
薄膜モジユール１９の両端部にはそれぞれ収納要素２２，２３が配設されており、第１の収納要素２２は図１の上部に、第２の収納要素２３は図１の下部にそれぞれ示してある。収納要素２２，２３の中心には流動媒体（原媒体、フィード）１１を通す通孔２４，２４ａが設けられる。図３に示す濾過分離装置１０では、濾過分離装置１０の内部に設けられた４つの第２の収納要素２３に、多数の中空糸薄膜２０１からなる薄膜要素２０が支持される。
【００３０】
ここで、中空糸薄膜２０１からなる薄膜要素２０は、薄膜要素２０が本質的に流動媒体１１（図１参照）の流動管路２１を形成するように配置される。中空糸薄膜２０１は相互に径方向と周方向に僅かに間隔を存して配置されるので、流動媒体１１は通孔２４ａから中空糸薄膜２０１の間の隙間を経て、ハウジング２８の内部空間２９へ流入する。このようにして、ハウジング２８の内部空間２９では第２の収納要素２３の通孔２４ａと第１の収納要素２２の通孔２４との間が流動媒体１１で満たされる。第１，第２の収納要素２２，２３の広がりと、中空糸薄膜２０１の数とに応じて、第１，第２の収納要素２２，２３の構成は同じになる。したがつて、第１，第２の収納要素２２，２３が上下の位置関係にある場合は、薄膜モジユール１９を形成するには、各中空糸薄膜２０１を収納要素２２，２３の対応する収納孔へ挿通するだけでよい。第１の収納要素２２の場合は、中空糸薄膜２０１を別の案内要素２２０へ挿通してから第１の収納要素２２へ挿通する。中空糸薄膜２０１は環状の収納部２２１または収納部２３０の内部へ挿入され、かつ相互に適当な同方向の間隔を存して適切な合成樹脂により各収納要素２２，２３の内部へ接着される。つまり、中空糸薄膜２０１の端部領域２０４，２０５がそれぞれ第１，第２の収納要素２２，２３へ流動媒体１１に対し密封状態に固定される。
【００３１】
上述した濾過分離装置１０では、中空糸薄膜２０１は第１の保持要素１７の方へ突出する端部２０２が閉鎖される。中空糸薄膜２０１の端部の閉鎖は、中空糸薄膜２０１を保持要素１７へ固定する際に、上述したような接着剤としての合成樹脂を用いて行うことができる。
【００３２】
中空糸薄膜２０１の第２の収納要素２３の方へ突出する端部２０３は開放される。中空糸薄膜２０１の端部２０３の開口は、第２の収納要素２３の端部２０３を挿通する部分に、接着剤としての適切な合成樹脂ないしプラスチツクを注入し、合成樹脂ないしプラスチツクが固まつてから、中空糸薄膜２０１の端部２０３の端面を研磨するか他の適当な機械加工を施して形成される。実際には、薄膜モジユール１９は予め決められた数量の中空糸薄膜２０１だけでなく、薄膜クツシヨン２００でもある薄膜要素２０と、薄膜要素２０の各端部領域２０４，２０５に上述の方法で連結された第１，第２の収納要素２２，２３とから構成される。薄膜モジユール１９は機械的に安定させる措置を完全に省いており、保持要素１７と保持要素１８にそれぞれ固定しないでも機械的に安定している。薄膜モジユール１９は保持要素１７と保持要素１８に支持されるので、濾過分離装置１０の規定通りの操作に対し薄膜モジユール１９は十分な機械的安定性を保たれる。
【００３３】
薄膜要素は保持要素に連結する一方の端部が開放する構造に、すなわち薄膜要素の端部が透過物を排出する開口を形成し、他方の端部が閉鎖される構造にされる。この構造は中空糸薄膜にも薄膜構成体にも可能である。
【００３４】
図示の実施例では、管状のハウジング２８は内部に、保持要素１７，１８と薄膜モジユール１９と他の全ての要素を収容している。例えばプラスチツク半製品または金属半製品からなる管状のハウジング２８は収納体３０の領域を包囲する。椀状の収納体３０は第２の保持要素１８を収納し、収納体３０の外側の筒状の部分３００とハウジング２８との間に隙間を形成する。したがつて、図示の濾過分離装置１０では、収集管路２５から出る透過物１４を、収納体３０の内部に形成した透過物１４の排出口１５から濾過分離装置１０の外部へ取り出して適当な用途に用いることができる。収納体３０は実質的に中心部に内部空間３０１を形成されている。内部空間３０１は同様に中心部に形成された通孔３０２により、流動媒体１１の濾過分離装置１０への供給口と、流動媒体１１を各薄膜モジユール１９へ分配するための分配室とを形成する。
【００３５】
流動媒体１１は濾過分離装置１０の収容体３０の内部空間３０１から第２の収納要素２３の内部の通孔２４ａへ流入し、通孔２４ａからハウジング２８の内部空間２９を流動管路２１に沿つて流れ、次いで第１の収納要素２２の通孔２４から閉鎖体３１へ流出する。閉鎖体３１はほぼ中心部に通孔３１０を有し、濃縮された流動媒体１１は残留物１３として通孔３１０から濾過分離装置１０の外部へ流出する。収納体３０と閉鎖体３１は、例えばエラストマー材からなるリング状の密閉手段によりハウジング２８へ密封支持される。リング状の密閉手段は収納体３０と閉鎖体３１の外周面に設けた環状溝の内部へそれぞれ係合される。環状の安全リング３０３，３１１はハウジング２８の内部で収納体３０と閉鎖体３１の軸方向の位置を確保する。安全リング３０３，３１１は取外しが容易なので、収納体３０は薄膜モジユール１９と一緒にハウジング２８から取り外すことができる。このことは閉鎖体３１についても言える。
【００３６】
図示の実施例では、濾過分離装置１０の内部に設けた４つの薄膜モジユール１９の軸方向の長さは、薄膜要素２０の軸方向の長さにより決められる。薄膜モジユール１９は異なる長さのものを、ハウジング２８の本質的な構成を変更することなく、濾過分離装置１０の内部に収容することができる。管状の構造物としても形成できる間隔保持ボルト２６は、僅かな軸方向の力しか吸収する必要がなく、薄膜モジユール１９の薄膜要素２０の選定された長さに合わせなければならない。薄膜モジユール１９と薄膜要素２０の軸方向寸法の僅かな差は、第１，第２の収納要素２２，２３の軸方向寸法、つまり通孔２４，２４ａを取り囲む環状溝の深さにより均衡させることができる。安全リング２７は第１，第２の収納要素２２，２３の環状溝へ取外し可能に係止できるので、薄膜モジユール１９は薄膜モジユール１９の長さに応じて保持要素１７，１８へ取外し可能に固定することができる。
【００３７】
濾過分離装置１０は例えば圧力約１バールの圧縮空気により浄化再生することができる。その場合、圧力６バールの圧縮空気が収納体３０から濾過分離装置１０の流動媒体１１の流動経路２１へ供給され、同時に透過物１４の流動経路から薄膜要素２０の内部へ供給される。
【００３８】
【発明の効果】
本発明は上述のように、薄膜分離体を用いて限界濾過の原理により異物に富む液状の流動媒体を薄膜分離体へ供給して異物に富む残留物と異物が減少した透過物とに分離し、透過物を少くとも１つの排出口から外部へ排出する濾過分離装置において、薄膜分離体（１２）が流動媒体（１１）の流動方向（１６）に相互の間隔を存して配置した２つの保持要素（１７，１８）の間に張架された多数の薄膜要素（２０）からなる少くとも１つの薄膜モジユール（１９）から形成され、中空糸薄膜（２０１）からなる前記薄膜要素（２０）は流動媒体（１１）の流動管路（２１）を形成し、前記薄膜要素（２０）は保持要素（１７）の方へ突出する端部（２０２）を閉鎖され、第１の収納要素（２２）に流動媒体（１１）に対し密封状態に固定され、かつ第２の収納要素（２３）に流動媒体（１１）に対し密封状態に固定され、第１，第２の収納要素（２２，２３）は中心に流動媒体（１１）が貫流する通孔（２４，２４ａ）を有し、第２の収納要素（２３）は透過物の収集管路（２５）を有し、薄膜要素（２０）の全ての開放端部（２０３）が透過物の収集管路へ通じており、第１，第２の収納要素（２２，２３）は取外し可能な安全リング（２７）により保持要素（１７，１８）に固定され、保持要素（１７，１８）と薄膜モジユール（１９）は、これらを包囲する管状のハウジング（２８）に収容されているので、長期間にわたり手入れなしに稼働し、流動媒体の流動に必要な圧力が比較的低く、薄膜要素の分離作用の阻害または薄膜要素の閉塞が生じた場合にも排水を容易に浄化でき、エネルギ消費が僅かで、組立てが容易で、廉価な濾過分離装置を提供できる。
【図面の簡単な説明】
【図１】本発明に係る別体のハウジングを有する濾過分離装置の原理的構成を示す正面断面図である。
【図２】図１の線２Ａによる平面断面図である。
【図３】図１の線３Ａによる平面断面図である。
【図４】図１の線４Ａによる平面断面図である。
【図５】薄膜要素の開放端部に連結した保持要素を収納する収納体の正面図である。
【図６】図５の線６Ａによる平面断面図である。
【符号の説明】
１０：濾過分離装置  １１：流動媒体  １２：薄膜分離体  １３：残留物  １４：透過物  １５：排出口  １６：流動方向  １７：第１の保持要素  １７０：通孔  １８：第２の保持要素  １９：薄膜モジユール  ２０：薄膜要素  ２００：薄膜構成体  ２０１：中空糸薄膜  ２０２：薄膜要素の閉鎖端部  ２０３：薄膜要素の開放端部  ２０４：端部領域  ２０５：端部領域  ２１：流動管路  ２２：第１の収納要素  ２２０：案内要素  ２２１：収納部  ２３：第２の収納要素  ２４，２４ａ：通孔  ２５：透過物の収集管路  ２６：間隔保持ボルト  ２７：安全リング  ２８：ハウジング  ２９：ハウジングの内部空間  ３０：収納体  ３００：部分  ３０１：内部空間  ３０２：通孔  ３０３：安全リング  ３１：閉鎖体  ３１０：通孔  ３１１：安全リング
【図１】
0004078469.tif 000002
【図２】
0004078469.tif 000003
【図３】
0004078469.tif 000004
【図４】
0004078469.tif 000005
【図５】
0004078469.tif 000006
【図６】
0004078469.tif 000007